(57)【要約】【課題】耐震壁を備えた既設架構に適切に仮設ブレースを設置することが可能で、免震化工事施工中の既設架構の耐震性能を高めて安全性を向上することができる既設架構の免震化工事施工中の仮設耐震化構造及びその施工法を提供する。【解決手段】梁１，２と柱３，４で取り囲んだ内部に耐震壁８を設けた既設架構５に免震装置６を設置する際、左右の柱に免震装置の設置用空間１０を形成し、耐震壁に、左右の設置用空間を結んで、当該耐震壁を柱の上部に接合された上壁部８ａと柱の下部に接合された下壁部８ｂとに分断する横スリット９を形成した既設架構の免震化工事施工中の仮設耐震化構造であって、横スリットを跨いで、左右の柱の間に、かつ一方の柱の上方柱梁接合部と他方の柱の下方柱梁接合部の間に位置させて、上部を上壁部に設置用空間よりも上方位置で、下部を下壁部に設置用空間よりも下方位置で撤去可能に接合して仮設ブレースユニット１３を設けた。【選択図】図１
2014218858.tif 000002
【特許請求の範囲】
【請求項１】
上下の梁と左右の柱で取り囲んだ内部に耐震壁を設けた既設架構に免震装置を設置して免震化するときに、これら左右の柱に、中間部を切除して該柱の上部と下部との間に免震装置の設置用空間を形成し、該耐震壁に、これら左右の設置用空間を結んで、当該耐震壁を該柱の上部に接合された上壁部と該柱の下部に接合された下壁部とに分断する横スリットを形成するようにした既設架構の免震化工事施工中の仮設耐震化構造であって、
上記横スリットを跨いで、上記左右の柱の間に、かつ一方の該柱の上方柱梁接合部と他方の該柱の下方柱梁接合部の間に位置させて、上部を上記上壁部に上記設置用空間よりも上方位置で、下部を上記下壁部に該設置用空間よりも下方位置で撤去可能に接合して仮設ブレースユニットを設けたことを特徴とする既設架構の免震化工事施工中の仮設耐震化構造。
【請求項２】
上下の梁と左右の柱で取り囲んだ内部に耐震壁を設けた既設架構に免震装置を設置して免震化するときに、これら左右の柱に、中間部を切除して該柱の上部と下部との間に免震装置の設置用空間を形成し、該耐震壁に、これら左右の設置用空間を結んで、当該耐震壁を該柱の上部に接合された上壁部と該柱の下部に接合された下壁部とに分断する横スリットを形成するようにした既設架構の免震化工事施工中の仮設耐震化構造であって、
上記左右の柱の上記設置用空間が上下に位置ずれして左右横方向でそれらの位置が重ならない場合に、上記上壁部及び上記下壁部のいずれか一方から左右の該柱を分離すると共に、左右の上記設置用空間と上記横スリットとを接続する縦スリットを形成し、
上記横スリットを跨いで、上下端が上記上壁部と上記下壁部に撤去可能に接合される仮設壁拘束プレートを設け、
これら上壁部及び下壁部のいずれか他方に、上記左右の柱の間に、かつ一方の該柱の上方柱梁接合部と他方の該柱の下方柱梁接合部の間に位置させて、上部を上記設置用空間よりも上方位置で、下部を該設置用空間よりも下方位置で撤去可能に接合して仮設ブレースユニットを設けたことを特徴とする既設架構の免震化工事施工中の仮設耐震化構造。
【請求項３】
前記仮設ブレースユニットの下部は、前記下梁に構築される床スラブとの間に隙間を空けて位置されることを特徴とする請求項１または２に記載の既設架構の免震化工事施工中の仮設耐震化構造。
【請求項４】
前記仮設ブレースユニットの上部は、前記上梁との間に隙間を空けて位置されることを特徴とする請求項１〜３いずれかの項に記載の既設架構の免震化工事施工中の仮設耐震化構造。
【請求項５】
前記仮設ブレースユニットの上部及び下部と前記柱の上部及び下部との間には、横方向に伸縮自在に、水平力を伝達するジャッキが設けられることを特徴とする請求項１〜４いずれかの項に記載の既設架構の免震化工事施工中の仮設耐震化構造。
【請求項６】
前記仮設ブレースユニットは、左右一対の縦材に、上下一対の横材を接合して形成される枠体と、これら横材と縦材の隅角部と接合して上記枠体内部に設けられるＸ字状材とから構成されることを特徴とする請求項１〜５いずれかの項に記載の既設架構の免震化工事施工中の仮設耐震化構造。
【請求項７】
前記仮設ブレースユニットは、前記上横材及び前記下横材が前記耐震壁に撤去可能に接合されることを特徴とする請求項１〜６いずれかの項に記載の既設架構の免震化工事施工中の仮設耐震化構造。
【請求項８】
前記仮設ブレースユニットと前記耐震壁との間には、両者間の空隙を埋めるグラウト材が充填されることを特徴とする請求項１〜７いずれかの項に記載の既設架構の免震化工事施工中の仮設耐震化構造。
【請求項９】
前記横スリットを跨いで、上下端が前記上壁部と前記下壁部に撤去可能に接合される仮設壁拘束プレートを備えたことを特徴とする請求項１に記載の既設架構の免震化工事施工中の仮設耐震化構造。
【請求項１０】
請求項１に記載の既設架構の免震化工事施工中の仮設耐震化構造の施工法であって、
前記耐震壁に前記横スリットを形成する横スリット施工工程と、前記左右の柱に前記設置用空間を形成する設置用空間施工工程と、前記耐震壁のこれら上壁部及び下壁部にわたって前記仮設ブレースユニットを取り付けるブレースユニット取付工程と、上記設置用空間へ免震装置を設置した後に、上記仮設ブレースユニットを前記耐震壁から撤去するブレースユニット撤去工程とを備えることを特徴とする既設架構の免震化工事施工中の仮設耐震化構造の施工法。
【請求項１１】
前記横スリットを跨いで、上下端が前記上壁部と前記下壁部に撤去可能に接合される仮設壁拘束プレートを用い、
前記ブレースユニット取付工程の前に、上記仮設壁拘束プレートを前記耐震壁に取り付ける壁拘束プレート取付工程と、前記ブレースユニット撤去工程の際に上記仮設壁拘束プレートを上記耐震壁から撤去する壁拘束プレート撤去工程とを含むことを特徴とする請求項１０に記載の既設架構の免震化工事施工中の仮設耐震化構造の施工法。
【請求項１２】
請求項２に記載の既設架構の免震化工事施工中の仮設耐震化構造の施工法であって、
前記耐震壁に前記縦スリットを形成する縦スリット施工工程と、前記耐震壁に前記横スリットを形成する横スリット施工工程と、前記左右の柱に前記設置用空間を形成する設置用空間施工工程と、前記仮設壁拘束プレート及び前記仮設ブレースユニットを前記耐震壁に取り付ける壁拘束プレート及びブレースユニット取付工程と、上記設置用空間へ免震装置を設置した後に、上記仮設壁拘束プレート及び仮設ブレースユニットを前記耐震壁から撤去する壁拘束プレート及びブレースユニット撤去工程とを備えることを特徴とする既設架構の免震化工事施工中の仮設耐震化構造の施工法。
【発明の詳細な説明】
【技術分野】
【０００１】
本発明は、耐震壁を備えた既設架構に適切に仮設ブレースを設置することが可能で、免震化工事施工中の既設架構の耐震性能を高めて安全性を向上することができる既設架構の免震化工事施工中の仮設耐震化構造及びその施工法に関する。
【背景技術】
【０００２】
既設建物の免震化工法では、柱の中間部を切除して、柱の上部と下部との間に免震装置の設置用空間を形成するようにしている。この際、耐震壁が設置されている場合には、この耐震壁を横スリットで上壁部と下壁部に分断するようにしている。これにより、既設建物は、柱の上部及び上壁部を含む上部架構と、柱の下部及び下壁部を含む下部架構とに分断され、設置用空間への設置が完了した免震装置を、上部架構と下部架構との間で適切に機能させることができる。
【０００３】
他方、設置用空間や横スリットの形成後から、免震装置が機能するまでの免震化工事施工期間中は、地震等に対し既存建物が無防備となることから、仮設の補強として、設置用空間に柱負担荷重を仮受けする仮設支持材を設置したり、その他の仮設補強部材を上部架構と下部架構との間に施工することが行われている。この種の補強対策技術が特許文献１に開示されている。
【０００４】
特許文献１の「既設建物の免震化工法」は、対象柱から仮設支持材に柱負担荷重を載せ替え、切断した対象柱に免震装置を設置し、その後、仮設支持材から免震装置に柱負担荷重を載せ替えて当該仮設支持材を撤去する作業を、全ての対象柱のうちの一本もしくは適宜本数毎に順次完了していく既設建物の免震化工法であって、仮設支持材から免震装置に柱負担荷重を載せ替えた後で、免震装置が機能することを規制するための柱用水平変位拘束手段を取り付ける作業を行う。仮設支持材から免震装置に柱負担荷重を載せ替える前から、柱用水平変位拘束手段の取り付け後にわたって、仮設水平力支持手段を設置するようにしている。仮設水平力支持手段は、柱と梁で取り囲まれた開口部に設置される仮設ブレースである。
【先行技術文献】
【特許文献】
【０００５】
【特許文献１】特開２００７−３０８９７９号公報
【発明の概要】
【発明が解決しようとする課題】
【０００６】
建物架構が上下の梁と左右の柱で構成される場合、増設されるブレースは筋交いとして機能するように、通常、一方の柱の柱頭部周りの柱梁接合部と、他方の柱の柱脚部周りの柱梁接合部との間に斜めに架け渡して設置される。これら柱梁接合部から入力される水平方向の力は、ブレースに軸力として作用し、当該ブレースはこの軸力を斜め方向に伝達して負担する。既設架構を仮設ブレースで補強する場合も同様である。
【０００７】
仮設ブレースで補強しようとする既設架構の内部に、開口部が形成されず、耐震壁が設置されていると、仮設ブレースを取り付ける柱梁接合部の取付面である柱側面や梁下面の寸法が、耐震壁の壁厚分だけ小さくなる。図４に示すように、柱ａの幅寸法Ｐは梁ｂの幅寸法Ｑよりも一般に幅広であって、仮設ブレースｃの幅寸法Ｒに対し、相当の壁厚Ｓを有する耐震壁ｄから張り出す柱の張出寸法Ｐｘは大きく確保できても、耐震壁ｄから張り出す梁の張出寸法Ｑｘは小さく狭い。
【０００８】
仮設ブレースｃの幅寸法Ｒに対して、梁の張出寸法Ｑｘが小さいと、仮設ブレースｃから梁ｂに上下方向の力成分（分力）を十分に伝達できるように、仮設ブレースｃを梁ｂに取り付けることができない。
【０００９】
耐震壁ｄを解体・除去して既設架構の内部に開口部を形成すれば、この開口部に仮設ブレースｃを設置できるが、耐震壁ｄの解体・除去には大きな騒音や振動が伴い、特に、居ながら施工を遂行することはできない。
【００１０】
このように、壁厚Ｓを有する耐震壁ｄが設置されていて、梁の張出寸法Ｑｘが仮設ブレースｃの幅寸法Ｒよりも小さい既設架構を、仮設ブレースｃで適切に補強することが困難であるという課題があった。
【００１１】
本発明は上記従来の課題に鑑みて創案されたものであって、耐震壁を備えた既設架構に適切に仮設ブレースを設置することが可能で、免震化工事施工中の既設架構の耐震性能を高めて安全性を向上することができる既設架構の免震化工事施工中の仮設耐震化構造及びその施工法を提供することを目的とする。
【課題を解決するための手段】
【００１２】
本発明にかかる既設架構の免震化工事施工中の仮設耐震化構造の第１は、上下の梁と左右の柱で取り囲んだ内部に耐震壁を設けた既設架構に免震装置を設置して免震化するときに、これら左右の柱に、中間部を切除して該柱の上部と下部との間に免震装置の設置用空間を形成し、該耐震壁に、これら左右の設置用空間を結んで、当該耐震壁を該柱の上部に接合された上壁部と該柱の下部に接合された下壁部とに分断する横スリットを形成するようにした既設架構の免震化工事施工中の仮設耐震化構造であって、上記横スリットを跨いで、上記左右の柱の間に、かつ一方の該柱の上方柱梁接合部と他方の該柱の下方柱梁接合部の間に位置させて、上部を上記上壁部に上記設置用空間よりも上方位置で、下部を上記下壁部に該設置用空間よりも下方位置で撤去可能に接合して仮設ブレースユニットを設けたことを特徴とする。
【００１３】
本発明にかかる既設架構の免震化工事施工中の仮設耐震化構造の第２は、上下の梁と左右の柱で取り囲んだ内部に耐震壁を設けた既設架構に免震装置を設置して免震化するときに、これら左右の柱に、中間部を切除して該柱の上部と下部との間に免震装置の設置用空間を形成し、該耐震壁に、これら左右の設置用空間を結んで、当該耐震壁を該柱の上部に接合された上壁部と該柱の下部に接合された下壁部とに分断する横スリットを形成するようにした既設架構の免震化工事施工中の仮設耐震化構造であって、上記左右の柱の上記設置用空間が上下に位置ずれして左右横方向でそれらの位置が重ならない場合に、上記上壁部及び上記下壁部のいずれか一方から左右の該柱を分離すると共に、左右の上記設置用空間と上記横スリットとを接続する縦スリットを形成し、上記横スリットを跨いで、上下端が上記上壁部と上記下壁部に撤去可能に接合される仮設壁拘束プレートを設け、これら上壁部及び下壁部のいずれか他方に、上記左右の柱の間に、かつ一方の該柱の上方柱梁接合部と他方の該柱の下方柱梁接合部の間に位置させて、上部を上記設置用空間よりも上方位置で、下部を該設置用空間よりも下方位置で撤去可能に接合して仮設ブレースユニットを設けたことを特徴とする。
【００１４】
上記第１及び第２の構造に対し、前記仮設ブレースユニットの下部は、前記下梁に構築される床スラブとの間に隙間を空けて位置されることを特徴とする。
【００１５】
上記第１及び第２の構造に対し、前記仮設ブレースユニットの上部は、前記上梁との間に隙間を空けて位置されることを特徴とする。
【００１６】
上記第１及び第２の構造に対し、前記仮設ブレースユニットの上部及び下部と前記柱の上部及び下部との間には、横方向に伸縮自在に、水平力を伝達するジャッキが設けられることを特徴とする。
【００１７】
上記第１及び第２の構造に対し、前記仮設ブレースユニットは、左右一対の縦材に、上下一対の横材を接合して形成される枠体と、これら横材と縦材の隅角部と接合して上記枠体内部に設けられるＸ字状材とから構成されることを特徴とする。
【００１８】
上記第１及び第２の構造に対し、前記仮設ブレースユニットは、前記上横材及び前記下横材が前記耐震壁に撤去可能に接合されることを特徴とする。
【００１９】
上記第１及び第２の構造に対し、前記仮設ブレースユニットと前記耐震壁との間には、両者間の空隙を埋めるグラウト材が充填されることを特徴とする。
【００２０】
上記第１の構造に対し、前記横スリットを跨いで、上下端が前記上壁部と前記下壁部に撤去可能に接合される仮設壁拘束プレートを備えたことを特徴とする。
【００２１】
本発明にかかる既設架構の免震化工事施工中の仮設耐震化構造の施工法の第１は、上記第１の構造の施工法であって、前記耐震壁に前記横スリットを形成する横スリット施工工程と、前記左右の柱に前記設置用空間を形成する設置用空間施工工程と、前記耐震壁のこれら上壁部及び下壁部にわたって前記仮設ブレースユニットを取り付けるブレースユニット取付工程と、上記設置用空間へ免震装置を設置した後に、上記仮設ブレースユニットを前記耐震壁から撤去するブレースユニット撤去工程とを備えることを特徴とする。
【００２２】
前記横スリットを跨いで、上下端が前記上壁部と前記下壁部に撤去可能に接合される仮設壁拘束プレートを用い、前記ブレースユニット取付工程の前に、上記仮設壁拘束プレートを前記耐震壁に取り付ける壁拘束プレート取付工程と、前記ブレースユニット撤去工程の際に上記仮設壁拘束プレートを上記耐震壁から撤去する壁拘束プレート撤去工程とを含むことを特徴とする。
【００２３】
本発明にかかる既設架構の免震化工事施工中の仮設耐震化構造の施工法の第２は、上記第２の構造の施工法であって、前記耐震壁に前記縦スリットを形成する縦スリット施工工程と、前記耐震壁に前記横スリットを形成する横スリット施工工程と、前記左右の柱に前記設置用空間を形成する設置用空間施工工程と、前記仮設壁拘束プレート及び前記仮設ブレースユニットを前記耐震壁に取り付ける壁拘束プレート及びブレースユニット取付工程と、上記設置用空間へ免震装置を設置した後に、上記仮設壁拘束プレート及び仮設ブレースユニットを前記耐震壁から撤去する壁拘束プレート及びブレースユニット撤去工程とを備えることを特徴とする。
【発明の効果】
【００２４】
本発明にかかる既設架構の免震化工事施工中の仮設耐震化構造及びその施工法にあっては、耐震壁を備えた既設架構に適切に仮設ブレースを設置することができ、免震化工事施工中の既設架構の耐震性能を高めて安全性を向上することができる。
【図面の簡単な説明】
【００２５】
【図１】本発明に係る既設架構の免震化工事施工中の仮設耐震化構造及びその施工法の第１実施形態を示す、免震化工事施工中の既設架構の正面図である。
【図２】図１中、Ａ−Ａ線矢視断面図である。
【図３】本発明に係る既設架構の免震化工事施工中の仮設耐震化構造及びその施工法の第２実施形態を示す、免震化工事施工中の既設架構の正面図である。
【図４】従来の課題を説明するための既設架構における梁周辺の断面図である。
【発明を実施するための形態】
【００２６】
以下に、本発明にかかる既設架構の免震化工事施工中の仮設耐震化構造及びその施工法の好適な実施形態を、添付図面を参照して詳細に説明する。図１は、第１実施形態にかかる既設架構の免震化工事施工中の仮設耐震化構造及びその施工法が適用される免震化工事施工中の既設架構の正面図であり、図２は、図１中、Ａ−Ａ線矢視断面図である。以下、施工手順に従って、説明する。説明中の上下左右は、図示の上下左右である。
【００２７】
上下の梁１，２と左右の柱３，４で構成される既設架構５を免震化する場合は従来周知のように、柱１，２に免震装置６が組み込まれる。既設架構５は、ＲＣ造やＳＲＣ造など、各種の構造形式で構築される。下梁２には、ＲＣ造等の床スラブ７が一体的に構築される。本実施形態は、上下の梁１，２と左右の柱３，４で取り囲んだ内部に耐震壁８を設けた既設架構５を対象としている。耐震壁８もＲＣ造等で構築され、柱３，４及び梁１，２に一体的に接合されている。
【００２８】
耐震壁８を備える既設架構５では、免震装置６を柱３，４に組み込んで免震化する前に、耐震壁８に、これを上下に分断する横スリット９を形成する横スリット施工工程が実施される。横スリット９は、次工程で形成される免震装置６の設置用空間１０の高さ位置に合わせて、上下の梁１，２と平行に横方向に形成され、これにより耐震壁８は、横スリット９上の上壁部８ａと、横スリット９下の下壁部８ｂとに分けられる。
【００２９】
次に、左右の柱３，４に免震装置６の設置用空間１０を形成する設置用空間施工工程が実行される。設置用空間１０は、免震装置６を挿入するための高さ寸法で柱３，４の中間部を切除することで、柱３，４の上部３ａ，４ａと下部３ｂ，４ｂとの間に相当の高さ寸法で形成される。設置用空間１０には通常、そしてまた必要に応じて、柱３，４近傍の上下の梁間（図１中、断面で示されている手前側及び奥側の上下の梁間）には、免震装置６の設置作業を完了するまでの間、上下方向の柱負担荷重を仮支持する仮設支持材（図示せず）が設置される。免震化工事施工中における上下方向の力成分（分力）の支持は主として、この仮設支持材によって受け持たれる。
【００３０】
設置用空間１０は、横スリット９とつながるように、横スリット９の高さ位置に設定される。言い換えれば、横スリット９は、設置用空間１０の高さ位置に合わせて形成される。これにより、左右の柱３，４の設置用空間１０は、横スリット９により結ばれる。これら横スリット９及び設置用空間１０の形成により、耐震壁８は、左右の縁辺が左右の柱３，４の上部３ａ，４ａに、上方の縁辺が上梁１に一体的に接合された上壁部８ａと、左右の縁辺が左右の柱３，４の下部３ｂ，４ｂに、下方の縁辺が下梁２に一体的に接合された下壁部８ｂに分断される。
【００３１】
この分断により、下壁部８ｂ、下梁２及び柱３，４の下部３ｂ，４ｂからなる下部構造と、上壁部８ａ、上梁１及び柱３，４の上部３ａ，４ａからなる上部構造とが構造的に独立し、設置用空間１０に免震装置６を設置することで、当該既設架構５を備える階層は免震層となる。横スリット９の上下方向寸法は、免震装置６の設置用空間１０を形成したときに見込まれる柱３，４の上部３ａ，４ａの沈み込み、すなわち上壁部８ａの沈み込みによって横スリット９が塞がれない程度に設定される。
【００３２】
次に、横スリット９を上下方向に跨いで、耐震壁８のこれら上壁部８ａ及び下壁部８ｂにわたって、仮設壁拘束プレート１１を取り付ける壁拘束プレート取付工程を実行する。仮設壁拘束プレート１１は、鋼製等の金属製板材で形成される。仮設壁拘束プレート１１は、上端が上壁部８ａに、下端が下壁部８ｂに、撤去可能にボルト接合（図中、符号１２で示す）される。
【００３３】
ボルト接合は、耐震壁８の表側から裏側に貫通するボルト孔に貫通させたボルトにナットを締結するようにしてもよいし、耐震壁８に埋設したアンカーボルトにナットを締結するようにしてもよい。また、仮設壁拘束プレート１１を撤去するときには、ボルトからナットを外してもよいし、ボルトを破断するようにしてもよい。
【００３４】
図示例にあっては、仮設壁拘束プレート１１は、横スリット９に沿って互いに間隔を隔てて複数枚設置される。仮設壁拘束プレート１１は、免震装置６の設置が完了するまでの間、上壁部８ａと下壁部８ｂの相対変位を拘束して、耐震化補強する機能を発揮する。仮設壁拘束プレート１１の取り付けは、必要に応じて行えばよく、取り付けを行わなくてもよい。
【００３５】
次に、耐震壁８のこれら上壁部８ａ及び下壁部８ｂにわたって、仮設ブレースユニット１３を取り付けるブレースユニット取付工程を実行する。仮設ブレースユニット１３は、上下方向及び左右方向に対して斜め向きの一対の斜材１４ａ，１４ｂを主体として、当該斜材１４ａ，１４ｂを枠体１５内部に組み込んで構成される。
【００３６】
枠体１５は、左右一対の縦材１６，１７と、上下一対の横材１８，１９からなり、縦材１６，１７の上下端に横材１８，１９の左右端をそれぞれ接合して、長方形状に構成される。各斜材１４ａ，１４ｂは、縦材１６，１７と横材１８，１９を組むことで形成される枠体１５の隅角部の間に、右下がりにあるいは左下がりに、対角に掛け渡して設けられる。従って、斜材１４ａ，１４ｂは、枠体１５内部にＸ字状に配設されて、Ｘ字状材を構成する。縦材１６，１７、横材１８，１９及び斜材１４ａ，１４ｂは、Ｈ形鋼などの形鋼で形成される。
【００３７】
図示例では、斜材１４ａ，１４ｂから構成されるＸ字状材は、図示するように、一方の長尺な斜材１４ｂに対し、その両側から、他方の斜材１４ａを構成する二つの短尺材を突き当てて、これらを一体的に接合することで形成されている。
【００３８】
仮設ブレースユニット１３は、左右の柱３，４の間に位置させて、横スリット９を跨いで耐震壁８に設けられる。具体的には、仮設ブレースユニット１３は、左右一対の縦材１６，１７及び一対の斜材１４ａ，１４ｂからなるＸ字状材が横スリット９を上下方向に跨ぎ、仮設ブレースユニット１３の上部に位置する上横材１８が上壁部８ａに、下部に位置する下横材１９が下壁部８ｂに位置される。
【００３９】
仮設ブレースユニット１３の各斜材１４ａ，１４ｂは、一方の柱３（４）の上方柱梁接合部と他方の柱４（３）の下方柱梁接合部の間に位置させて設けられる。上方柱梁接合部は、柱３，４の柱頭部周りにおける柱３，４の上部３ａ，４ａと上梁１との接合部であり、下方柱梁接合部は、柱３，４の柱脚部周りにおける柱３，４の下部３ｂ，４ｂと下梁２との接合部である。
【００４０】
右下がりの斜材１４ａは、左の柱４の上方柱梁接合部と右の柱３の下方柱梁接合部の間に、左下がりの斜材１４ｂは、右の柱３の上方柱梁接合部と左の柱４の下方柱梁接合部の間に配置される。これら斜材１４ａ，１４ｂは、上方柱梁接合部と下方柱梁接合部を結ぶ直線上に沿って配置することが好ましい。
【００４１】
仮設ブレースユニット１３は、その上部の上横材１８が上壁部８ａに対し、設置用空間１０よりも上方位置に配置され、その下部の下横材１９が下壁部８ｂに対し、設置用空間１０よりも下方位置に配置される。仮設ブレースユニット１３は、上横材１８が上壁部８ａに、下横材１９が下壁部８ｂにボルト接合（図中、符号２０で示す）されて、耐震壁８に取り付けられる。斜材１４ａ，１４ｂ及び縦材１６，１７は、耐震壁８に対し接合されない。これら上横材１８等の上壁部８ａ等へのボルト接合は、上述した仮設壁拘束プレート１１と同様であり、仮設ブレースユニット１３は耐震壁８に撤去可能に接合される。
【００４２】
さらに、仮設ブレースユニット１３の下部（下横材１９）は、下梁２、そして特に下梁２に構築される床スラブ７に対して応力負担が生じないように、これら下梁２や床スラブ７との間に隙間を空けて位置される。耐震壁８の壁厚で張出寸法が狭い下梁２上に直接仮設ブレースユニット１３を設置すると、床スラブ７上に仮設ブレースユニット１３が迫り出し、これにより床スラブ７が応力を負担して破損されるおそれがあるため、床スラブ７から隙間を空けて仮設ブレースユニット１３を設置する。これによって、床スラブ７の破損を防止することができる。
【００４３】
仮設ブレースユニット１３の上部（上横材１８）は、上梁１との間に隙間を空けて配置される。上梁１に密着させて仮設ブレースユニット１３を設置することも可能であるが、高い取付精度が要求されるため、また図４に示したように、梁の張出寸法が小さく狭いことから、密着させたとしても上下方向の力成分を十分に伝達できないことから、上梁１から隙間を空けて仮設ブレースユニット１３が設置される。これにより、容易な作業で短時間に仮設ブレースユニット１３の取付施工を完了することができて、既設架構５の無防備な期間を短縮して安全性を向上することができる。
【００４４】
仮設ブレースユニット１３の枠体１５を構成する上横材１８及び下横材１９の各端部位置と、柱３，４の上部３ａ，４ａ及び下部３ｂ，４ｂの柱側面との間には、横方向に伸縮自在なジャッキ２１が設けられる。ジャッキ２１は、コンクリートよりも剛性の高い金属製であって、柱３，４の上部３ａ，４ａ及び下部３ｂ，４ｂと仮設ブレースユニット１３との間で水平方向の力を伝達する。
【００４５】
ジャッキ２１の伸縮作用により、仮設ブレースユニット１３の横方向設置位置を自在に調整しながら、適切に仮設ブレースユニット１３を耐震壁８に設けることができる。また、ジャッキ２１により、仮設ブレースユニット１３と柱３，４の上部３ａ，４ａ及び下部３ｂ，４ｂとの間で水平方向の力を適切に伝達できて、仮設ブレースユニット１３に確実に荷重負担させることができる。
【００４６】
仮設ブレースユニット１３の各縦材１６，１７を柱３，４の上部３ａ，４ａ及び下部３ｂ，４ｂに密着させて設置することも可能であり、この場合には、ジャッキ２１は不要であるが、上梁１と上横材１８との関係と同様、高い取付精度が要求される。ジャッキ２１を用いて、柱３，４の上部３ａ，４ａ及び下部３ｂ，４ｂから隙間を空けて仮設ブレースユニット１３を設置することにより、容易な作業で短時間に取付施工を完了することができて、既設架構５の無防備な期間を短縮して安全性を向上することができる。
【００４７】
ジャッキ２１を用いずに、縦材１６，１７を柱３，４の上部３ａ，４ａ等に直接密着させて仮設ブレースユニット１３を設置する場合には、これら両者をボルト接合した上で両者間にグラウト材を充填し、これにより強固に一体化する。この場合には、柱３，４に貫通孔を設けることになり、仮設ブレースユニット１３の撤去後に、柱３，４を補修する必要がある。
【００４８】
上述したように、既設架構５に作用する水平方向の力は、柱３，４の上部３ａ，４ａ及び下部３ｂ，４ｂから直接、もしくはジャッキ２１を介して、仮設ブレースユニット１３に入力される。仮設ブレースユニット１３に入力された水平方向の力は、斜材１４ａ，１４ｂに斜め方向の軸力として作用し、そのうちの上下方向の力成分は、上下の横材１８，１９に施されるボルト接合を介して、上壁部８ａもしくは下壁部８ｂから上梁１または下梁２に伝達される。
【００４９】
仮設ブレースユニット１３に主として入力される水平方向の力は、斜材１４ａ，１４ｂからなるＸ字状材によって荷重負担される。従って、筋交いとして機能するＸ字状材を取り囲む枠体１５は、ブレースの一般的な取付位置である既設架構５の上下の柱梁接合部に代わる、Ｘ字状材の取付用治具として機能する。
【００５０】
仮設ブレースユニット１３を耐震壁８に取付固定するための、そしてまた斜材１４ａ，１４ｂが水平方向の力を軸力として負担する際に生じる上下方向の力成分が伝達される横材１８，１９と、上壁部８ａ及び下壁部８ｂとの間には、空隙が設定され、両者間の空隙には、横材１８，１９と上壁部８ａ及び下壁部８ｂとを強固に一体化するために、少なくともボルト接合範囲にグラウト材が充填される。もちろん、横材１８，１９の設置範囲全体にわたってグラウト材を充填してもよい。ボルト接合のためボルト孔等にも、グラウト材が充填される。
【００５１】
取付用治具として機能し得る枠体１５が不要である場合には、斜材１４ａ，１４ｂで構成したＸ字状材のみで仮設ブレースユニット１３を構成してもよい。この場合、斜材１４ａ，１４ｂの上下方向上端及び下端を、一方の柱３（４）の上部３ａ（４ａ）及び他方の柱４（３）の下部４ｂ（３ｂ）に当接して、水平方向の力を伝達させ、かつこれら上端及び下端を上壁部８ａ及び下壁部８ｂに一体的に接合して、仮設ブレースユニット１３の耐震壁８への取付固定を確保すればよい。これにより、上下方向の力の伝達も確保することができる。
【００５２】
以上の仮設施工により、既設架構５の免震化工事施工中の仮設耐震化構造が完成される。免震化工事施工中に地震などが発生した場合、柱３，４の上部３ａ，４ａに作用した水平方向の力は、ジャッキ２１を介して仮設ブレースユニット１３に入力され、仮設ブレースユニット１３は、この水平方向の力を負担しつつ、柱３，４の下部３ｂ，４ｂに伝達し、下梁２等がこれを受け止めることができる。また、仮設ブレースユニット１３に流れる斜め方向の力の上下方向成分は、枠体１５の下横材１９を介して下壁部８ｂにも伝達され、下梁２で受け止められて、これにより柱３，４の下部３ｂ，４ｂへ伝達することができる。
【００５３】
次に、設置用空間１０へ、免震装置６を設置し、柱３，４の上部３ａ，４ａと下部３ｂ，４ｂとの間で免震化して、当該既設架構５の階層を免震層とする。
【００５４】
次に、仮設ブレースユニット１３を耐震壁８から撤去するブレースユニット撤去工程を実行する。その後、仮設壁拘束プレート１１を撤去する壁拘束プレート撤去工程を実行し、仮設支持材を撤去する。これら工程では、ボルト接合した箇所を破壊するなどして、仮設ブレースユニット１３及び仮設壁拘束プレート１１を耐震壁８から取り外す。撤去した仮設ブレースユニット１３及び仮設壁拘束プレート１１は、他の施工場所へ転用することができる。
【００５５】
第１実施形態にかかる既設架構の免震化工事施工中の仮設耐震化構造及びその施工法にあっては、横スリット９を跨いで、左右の柱３，４の間に、かつ一方の柱３（４）の上方柱梁接合部と他方の柱４（３）の下方柱梁接合部の間に位置させて、上部を上壁部８ａに設置用空間１０よりも上方位置で、下部を下壁部８ｂに設置用空間１０よりも下方位置で撤去可能に接合して仮設ブレースユニット１３を設けたので、耐震壁が設置されていて、梁の張出寸法が仮設ブレースの幅寸法よりも小さい既設架構を、仮設のブレース等で補強する際に、水平方向の力等を負担する仮設ブレースユニット１３の設置・固定を耐震壁８に対して適切に確保して、これにより免震化工事施工中の既設架構５の耐震性能を高めて安全性を向上することができる。
【００５６】
仮設ブレースユニット１３の上部を上壁部８ａに設置用空間１０よりも上方位置で、下部を下壁部８ｂに設置用空間１０よりも下方位置で接合したので、柱３，４の上部３ａ，４ａ、上梁１及び上壁部８ａからなる上部構造、並びに柱３，４の下部３ｂ，４ｂ、下梁２及び下壁部８ｂからなる下部構造それぞれに対し、水平方向や上下方向の力を、仮設ブレースユニット１３で適切に伝達し、負担させることができる。
【００５７】
すなわち、金属製の剛性の高い仮設ブレースユニット１３をＲＣ造のコンクリート製の上壁部８ａ及び下壁部８ｂに添設した形態であるので、柱３，４の上部３ａ，４ａや下部３ｂ，４ｂに作用する水平方向の力は、上壁部８ａ等のコンクリートだけでなく、当該コンクリート強度の制限を受けることなく、柱３，４から直接または金属製の剛性の高いジャッキ２１を介して、当該仮設ブレースユニット１３により支持することができ、構造上、既設架構５が負担できる応力を増大することができて、優れた耐震化構造を構成することができる。
【００５８】
仮設ブレースユニット１３を撤去可能に設けたので、免震装置６による免震化後に撤去することで、既設架構５の機能を復元することができると共に、仮設ブレースユニット１３を他の施工場所へ転用することができる。また、大きな騒音の発生は、ボルト施工程度であって、居ながら施工を遂行することができる。
【００５９】
仮設ブレースユニット１３を、左右一対の縦材１６，１７に、上下一対の横材１８，１９を接合して形成される枠体１５と、これら横材１８，１９と縦材１６，１７の隅角部と接合して枠体１５内部に設けられるＸ字状材（斜材１４ａ，１４ｂ）とから構成したので、枠体１５を、水平方向の力を負担する斜材１４ａ，１４ｂからなるＸ字状材の取付用治具として利用することができ、既設架構５への取付施工を容易な作業で短時間に完了することができて、既設架構５の無防備な期間を短縮して安全性を向上することができる。
【００６０】
また、枠体１５によっても、水平方向及び上下方向の力を負担することができ、効果的に免震化施工中の既設架構５を補強し、耐震化構造とすることができる。
【００６１】
仮設ブレースユニット１３は、上横材１８及び下横材１９が耐震壁８に接合されるので、上壁部８ａ及び下壁部８ｂに対する仮設ブレースユニット１３の接合面積を広く確保することができ、両者の一体性を高めて構造安全性を高く確保することができる。
【００６２】
仮設ブレースユニット１３と耐震壁８との間には、両者間の空隙を埋めるグラウト材が充填されるので、両者間の力の伝達を確実にして優れた耐震性能を確保できると共に、強度を高く確保することができる。
【００６３】
横スリット９を跨いで、上下端が上壁部８ａと下壁部８ｂに撤去可能に接合される仮設壁拘束プレート１１を備えたので、上壁部８ａと下壁部８ｂの相対変位を規制する抵抗力を生じさせることができ、仮設ブレースユニット１３の荷重負担を軽減できると共に、仮設ブレースユニット１３を備えて構成される仮設耐震化構造の構造性能を向上することができる。
【００６４】
仮設ブレースユニット１３は、耐震壁８の片面にだけ設置してもよいし、耐震壁８の両面に設置してもよい。仮設ブレースユニット１３及び仮設壁拘束プレート１１の上壁部８ａ及び下壁部８ｂへの接合は、両者の隙間やボルトとボルト孔との隙間へのグラウト注入によって一体に接合してもよく、あるいは高力ボルトによる摩擦接合としてもよい。
【００６５】
本実施形態にかかる既設架構の免震化工事施工中の仮設耐震化構造及びその施工法は、図１中、二点鎖線で示したように、耐震壁８が開口部２２を備えている場合であっても、適切に適用することができる。この場合には、仮設ブレースユニット１３及び仮設壁拘束プレート１１は、開口部２２の位置での接合を行うことなく、上壁部８ａ及び下壁部８ｂに取付固定される。
【００６６】
次に、本発明にかかる既設架構の免震化工事施工中の仮設耐震化構造の第２実施形態について説明する。図３は、第２実施形態にかかる既設架構の免震化工事施工中の仮設耐震化構造及びその施工法が適用される免震化工事施工中の既設架構の正面図である。以下、上記第１実施形態と異なる部分を中心に説明する。
【００６７】
既設架構５が居室と階段室との間に位置しているなど、耐震壁８が異なる構造形式の境界に位置しているときには、左右の柱３，４で免震装置６の設置高さ位置を変更する必要がある。第２実施形態は、左右の柱３，４で、免震装置６の設置用空間１０が上下に位置ずれして左右横方向でそれらの位置が重ならない場合に対応するものである。
【００６８】
このような場合には、横スリット施工工程の前に、耐震壁８に縦スリット２３を形成する縦スリット施工工程を実行する。縦スリット２３は、耐震壁８を横スリット９で分断して形成される上壁部８ａ及び下壁部８ｂのいずれか一方から左右の柱３，４を分離するために形成される。
【００６９】
図示例では、耐震壁８と左右の柱３，４の上部３ａ，４ａとの接合を維持して、耐震壁８を柱３，４の下部３ｂ，４ｂから分断するように、後の工程で施工される設置用空間１０の形成位置から各柱３，４の下部３ｂ，４ｂに沿って下梁２上まで縦スリット２３が左右一対形成されている。各縦スリット２３は、後工程で設置用空間１０と接続される。もちろん、耐震壁８と柱３，４の下部３ｂ，４ｂとの接合を維持して、耐震壁８を柱３，４の上部３ａ，４ａから分断するようにしてもよい。
【００７０】
次に、横スリット施工工程を実行する。第１実施形態の横スリット９は、左右の設置用空間１０を結ぶように上下の梁１，２に沿って平行に横方向に形成するものであったが、第２実施形態では、横スリット９で左右の設置用空間１０を直接結ぶことができない。第２実施形態の横スリット９は、左右の縦スリット２３とつながるように、上下の梁１，２に沿って平行に横方向に形成される。これにより、横スリット９は、左右の縦スリット２３を介して、左右の設置用空間１０と接続される。
【００７１】
横スリット９の形成高さ位置は、耐震壁８を柱３，４の下部３ｂ，４ｂから分離するときには、設置用空間１０よりも下方位置に形成され、柱３，４の上部３ａ，４ａから分離するときには、設置用空間１０よりも上方位置に形成される。
【００７２】
図示例のように、耐震壁８を柱３，４の下部３ｂ，４ｂから分離する場合には、横スリット９で分断された上壁部８ａは、柱３，４の上部３ａ，４ａ及び上梁１に接合された状態となり、下壁部８ｂは、下梁２にのみ接合された状態となる。縦スリット２３は、下壁部８ｂと柱３，４の下部３ｂ，４ｂとの接合状態を保てるように、横スリット９の形成位置までで止めるようにしてもよい。この施工段階では、柱３，４が上部３ａ，４ａと下部３ｂ，４ｂに分断されていないので、既設架構５は相当の強度を備えている。
【００７３】
次に、第１実施形態と同様に、左右の柱３，４に免震装置６の設置用空間１０を形成する設置用空間施工工程を実行する。設置用空間１０の形成により、下壁部８ｂ、下梁２及び柱３，４の下部３ｂ，４ｂからなる下部構造と、上壁部８ａ、上梁１及び柱３，４の上部３ａ，４ａからなる上部構造とは構造的に独立し、設置用空間１０に免震装置６を設置することで、当該既設架構５を備える階層は免震層となる。
【００７４】
引き続き、仮設壁拘束プレート１１及び仮設ブレースユニット１３を耐震壁８に取り付ける壁拘束プレート及びブレースユニット取付工程を実行する。仮設壁拘束プレート１１と仮設ブレースユニット１３の取付は、どちらを先行してもよいが、横スリット９で分断した上壁部８ａと下壁部８ｂの構造を早期に安定させるために、仮設壁拘束プレート１１を先に取り付けることが好ましい。仮設壁拘束プレート１１の取付は、第１実施形態と同様である。
【００７５】
第２実施形態における仮設ブレースユニット１３の取付については、横スリット９を跨がない点を除き、第１実施形態と同様である。横スリット９を跨がない仮設ブレースユニット１３は、設置用空間１０の上方位置から下方位置にわたって接合されるように、必然的に設置用空間１０と隣接する上壁部８ａもしくは下壁部８ｂのいずれか一方、図示例では上壁部８ａに設置される。
【００７６】
以上の仮設施工により、既設架構の免震化工事施工中の仮設耐震化構造が完成される。第２実施形態と第１実施形態の構造形式が異なる点は、第１実施形態では、柱３，４の下部３ｂ，４ｂ及び下梁２に対する下壁部８ｂの接合が保たれているのに対し、第２実施形態の図示例では、下壁部８ｂは、柱３，４の下部３ｂ，４ｂからは切り離され、下梁２だけに接合されている。
【００７７】
構造形式は異なるものの、第２実施形態であっても、免震化工事施工中に地震などが発生した場合、柱３，４の上部３ａ，４ａに作用した水平方向の力は、ジャッキ２１を介して仮設ブレースユニット１３に入力され、仮設ブレースユニット１３は、この水平方向の力を負担しつつ、柱３，４の下部３ｂ，４ｂに伝達し、下梁２等がこれを受け止めることができる。また、仮設ブレースユニット１３に流れる斜め方向の力の上下方向成分は、枠体１５から上壁部８ａ、仮設壁拘束プレート１１を介して下壁部８ｂに伝達され、下梁２で受け止められて、これにより柱３，４の下部３ｂ，４ｂへ伝達することができる。下壁部８ｂと柱３，４の下部３ｂ，４ｂとの接合を維持する場合には、第１実施形態の構造形式とほぼ同様である。
【００７８】
その後は、第１実施形態と同様に、仮設支持材を撤去した設置用空間１０へ、免震装置６を設置する。これにより、柱３，４の上部３ａ，４ａと下部３ｂ，４ｂとの間で免震化されて、当該既設架構５の階層が免震層とされる。引き続き、仮設ブレースユニット１３を耐震壁８から撤去するブレースユニット撤去工程及び仮設壁拘束プレート１１を撤去する壁拘束プレート撤去工程を実行する。
【００７９】
第２実施形態にかかる既設架構の免震化工事施工中の仮設耐震化構造及びその施工法にあっては、上壁部８ａ及び下壁部８ｂのいずれか一方から左右の柱３，４を分離すると共に、左右の設置用空間１０と横スリット９とを接続する縦スリット２３を形成し、横スリット９を跨いで、上下端が上壁部８ａと下壁部８ｂに撤去可能に接合される仮設壁拘束プレート１１を設け、これら上壁部８ａ及び下壁部８ｂのいずれか他方に、左右の柱３，４の間に、かつ一方の柱３（４）の上方柱梁接合部と他方の柱４（３）の下方柱梁接合部の間に位置させて、上部を設置用空間１０よりも上方位置で、下部を設置用空間１０よりも下方位置で撤去可能に接合して仮設ブレースユニット１３を設けたので、耐震壁が設置されていて、梁下面の張出寸法が仮設ブレースの幅寸法よりも小さい既設架構を、仮設のブレース等で補強する際に、左右の柱３，４の設置用空間１０が上下に位置ずれして左右横方向でそれらの位置が重ならない場合であっても、第１実施形態と同様に、水平方向の力等を負担する仮設ブレースユニット１３の設置・固定を耐震壁８に対して適切に確保して、これにより免震化工事施工中の既設架構の耐震性能を高めて安全性を向上することができる。
【００８０】
さらに、第１実施形態が奏する種々の作用効果を、第２実施形態が奏することはもちろんである。
【００８１】
仮設ブレースユニット１３や仮設壁拘束プレート１１の撤去は、設置する耐震壁８に接続する柱３，４に免震装置６を設置した直後でもよく、あるいは免震層の全柱３，４に免震装置６を設置した後であってもよい。また、上記実施形態では、耐震壁８に接合する仮設ブレースユニット１３の上下の横材１８，１９をＨ形鋼として、そのフランジ面を耐震壁８に向かい合わせて平行に配置しているが、これら横材１８，１９は溝形鋼等であってもよく、この場合には、ウェブ面を耐震壁８と平行に配置すればよい。
【符号の説明】
【００８２】
１，２  梁
３，４  柱
３ａ，４ａ  柱の上部
３ｂ，４ｂ  柱の下部
５  既設架構
６  免震装置
７  床スラブ
８  耐震壁
８ａ  上壁部
８ｂ  下壁部
９  横スリット
１０  免震装置の設置用空間
１１  仮設壁拘束プレート
１３  仮設ブレースユニット
１４ａ，１４ｂ  斜材
１５  枠体
１６，１７  縦材
１８，１９  横材
２１  ジャッキ
２３  縦スリット
【図１】
2014218858.tif 000003
【図２】
2014218858.tif 000004
【図３】
2014218858.tif 000005
【図４】
2014218858.tif 000006